【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
Ｕ６＋ドープリン酸バナジン酸塩蛍光体、Ｕ６＋ドープハロゲン化物蛍光体、Ｕ６＋ドープオキシハライド化物蛍光体、Ｕ６＋ドープケイ酸塩ゲルマネート蛍光体、Ｕ６＋ドープアルカリ土類酸化物蛍光体、およびそれらの組合せからなる群から選択される緑色発光Ｕ６＋ドープ蛍光体に光学的に結合されたＬＥＤ光源を備え、
前記Ｕ６＋ドープリン酸バナジン酸塩蛍光体は、
（Ａ１）［Ｂａ、Ｓｒ、Ｃａ、Ｍｇ］［Ｂ、Ａｌ、Ｇａ、Ｉｎ］［Ｐ、Ｖ］Ｏ５：Ｕ６＋、
（Ａ２）Ｂａ２−ｘ［Ｓｒ、Ｃａ、Ｍｇ］ｘ［Ｐ１−ｙ、Ｖｙ］２Ｏ７：Ｕ６＋、ここで、０≦ｘ≦２、０≦ｙ≦１、およびｙ＝０のときｘ≠０、
（Ａ３）［Ｂａ、Ｓｒ、Ｃａ、Ｍｇ］４［Ｐ、Ｖ］２Ｏ９：Ｕ６＋、
（Ａ４）［Ｂａ、Ｓｒ、Ｃａ、Ｍｇ］３［Ｐ、Ｖ］４Ｏ１３：Ｕ６＋、
（Ａ５）［Ｂａ、Ｓｒ、Ｃａ、Ｍｇ］４［Ｂ、Ａｌ、Ｇａ、Ｉｎ］［Ｐ、Ｖ］Ｏ８：Ｕ６＋、
（Ａ６）［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋、
（Ａ７）Ｂａ３−ｘ［Ｓｒ、Ｃａ、Ｍｇ］ｘ［Ｐ１−ｙ、Ｖｙ］２Ｏ８：Ｕ６＋、ここで、０≦ｘ≦３、０≦ｙ≦１、およびｙ＝０のときｘ≠０、
（Ａ８）Ａ２［Ｂａ、Ｓｒ、Ｃａ、Ｍｇ］［Ｐ、Ｖ］２Ｏ７：Ｕ６＋、
（Ａ９）Ａ［Ｂａ、Ｓｒ、Ｃａ、Ｍｇ］［Ｐ、Ｖ］Ｏ４：Ｕ６＋、
（Ａ１０）［Ｂａ、Ｓｒ、Ｃａ、Ｍｇ］［Ｐ、Ｖ］２Ｏ６：Ｕ６＋、
（Ａ１１）［Ｂａ、Ｓｒ、Ｃａ、Ｍｇ］３［Ｂ、Ａｌ、Ｇａ、Ｉｎ］［Ｐ、Ｖ］Ｏ７：Ｕ６＋、および
（Ａ１２）［Ｂａ、Ｓｒ、Ｃａ、Ｍｇ］１０［Ｐ、Ｖ］６Ｏ２５：Ｕ６＋、
からなる群から選択され、
前記Ｕ６＋ドープハロゲン化物蛍光体は、
（Ｂ１）［Ｂａ、Ｓｒ、Ｃａ、Ｍｇ］Ｘ２：Ｕ６＋、
（Ｂ２）Ａ［Ｂａ、Ｓｒ、Ｃａ、Ｍｇ］Ｘ３：Ｕ６＋、および
（Ｂ３）［Ｂａ、Ｓｒ、Ｃａ、Ｍｇ］２Ｘ４：Ｕ６＋、
からなる群から選択され、
前記Ｕ６＋ドープオキシハライド蛍光体は、
（Ｃ１）［Ｂａ、Ｓｒ、Ｃａ、Ｍｇ］２［Ｂ、Ａｌ、Ｇａ、Ｉｎ］Ｏ３Ｘ：Ｕ６＋、
（Ｃ２）［Ｂａ、Ｓｒ、Ｃａ、Ｍｇ］２［Ｐ、Ｖ］Ｏ４Ｘ：Ｕ６＋、
（Ｃ３）Ｂａ５−ｎ［Ｓｒ、Ｃａ、Ｍｇ］ｎ［Ｐ１−ｍ、Ｖｍ］３Ｏ１２Ｘ：Ｕ６＋、ここで、０≦ｎ≦５、０≦ｍ≦１、ならびにｍ＝０およびＸ＝Ｆのときｎ≠０、
（Ｃ４）［Ｂａ、Ｓｒ、Ｃａ、Ｍｇ］５［Ｂ、Ａｌ、Ｇａ、Ｉｎ］３Ｏ９Ｘ：Ｕ６＋、および
（Ｃ５）［Ｂａ、Ｓｒ、Ｃａ、Ｍｇ］３［Ｓｉ、Ｇｅ］Ｏ４Ｘ：Ｕ６＋、
からなる群から選択され、
前記Ｕ６＋ドープケイ酸塩ゲルマネート蛍光体は、
（Ｄ１）［Ｂａ、Ｓｒ、Ｃａ、Ｍｇ］２［Ｓｉ、Ｇｅ］Ｏ４：Ｕ６＋、
（Ｄ２）［Ｂａ、Ｓｒ、Ｃａ、Ｍｇ］３［Ｓｉ、Ｇｅ］Ｏ５：Ｕ６＋、
（Ｄ３）［Ｂａ、Ｓｒ、Ｃａ、Ｍｇ］３［Ｓｉ、Ｇｅ］２Ｏ７：Ｕ６＋、
（Ｄ４）［Ｂａ、Ｓｒ、Ｃａ、Ｍｇ］［Ｓｉ、Ｇｅ］Ｏ３：Ｕ６＋、
（Ｄ５）［Ｂａ、Ｓｒ、Ｃａ、Ｍｇ］［Ｂ、Ａｌ、Ｇａ、Ｉｎ］２［Ｓｉ、Ｇｅ］２Ｏ８：Ｕ６＋、
（Ｄ６）［Ｂａ、Ｓｒ、Ｃａ、Ｍｇ］２［Ｂ、Ａｌ、Ｇａ、Ｉｎ］２［Ｓｉ、Ｇｅ］Ｏ７：Ｕ６＋、
（Ｄ７）［Ｂａ、Ｓｒ、Ｃａ、Ｍｇ］３［Ｂ、Ａｌ、Ｇａ、Ｉｎ］６［Ｓｉ、Ｇｅ］２Ｏ１６：Ｕ６＋、
（Ｄ８）［Ｂａ、Ｓｒ、Ｃａ、Ｍｇ］３［Ｂ、Ａｌ、Ｇａ、Ｉｎ］２［Ｓｉ、Ｇｅ］Ｏ８：Ｕ６＋、
（Ｄ９）［Ｂａ、Ｓｒ、Ｃａ、Ｍｇ］１１［Ｂ、Ａｌ、Ｇａ、Ｉｎ］２［Ｓｉ、Ｇｅ］４Ｏ２２：Ｕ６＋、
（Ｄ１０）［Ｂａ、Ｓｒ、Ｃａ、Ｍｇ］３［Ｂ、Ａｌ、Ｇａ、Ｉｎ］１０［Ｓｉ、Ｇｅ］Ｏ２０：Ｕ６＋、および
（Ｄ１１）［Ｂａ、Ｓｒ、Ｃａ、Ｍｇ］６．５［Ｂ、Ａｌ、Ｇａ、Ｉｎ］１１［Ｓｉ、Ｇｅ］５Ｏ３３：Ｕ６＋、
からなる群から選択され、
前記Ｕ６＋ドープアルカリ土類酸化物蛍光体は、
（Ｅ１）［Ｂａ、Ｓｒ、Ｃａ、Ｍｇ］［Ｂ、Ａｌ、Ｇａ、Ｉｎ］４Ｏ７：Ｕ６＋、
（Ｅ２）［Ｂａ、Ｓｒ、Ｃａ、Ｍｇ］３［Ｂ、Ａｌ、Ｇａ、Ｉｎ］２Ｏ６：Ｕ６＋、
（Ｅ３）［Ｂａ、Ｓｒ、Ｃａ、Ｍｇ］［Ｂ、Ａｌ、Ｇａ、Ｉｎ］６Ｏ１０：Ｕ６＋、
（Ｅ４）［Ｂａ、Ｓｒ、Ｃａ、Ｍｇ］［Ｂ、Ａｌ、Ｇａ、Ｉｎ］２Ｏ４：Ｕ６＋、
（Ｅ５）［Ｂａ、Ｓｒ、Ｃａ、Ｍｇ］４［Ｂ、Ａｌ、Ｇａ、Ｉｎ］２Ｏ７：Ｕ６＋、
（Ｅ６）［Ｂａ、Ｓｒ、Ｃａ、Ｍｇ］１２［Ｂ、Ａｌ、Ｇａ、Ｉｎ］１４Ｏ３３：Ｕ６＋、
（Ｅ７）Ａ［Ｂａ、Ｓｒ、Ｃａ、Ｍｇ］［Ｂ、Ａｌ、Ｇａ、Ｉｎ］Ｏ３：Ｕ６＋、
（Ｅ８）［Ｂａ、Ｓｒ、Ｃａ、Ｍｇ］Ｏ：Ｕ６＋、
（Ｅ９）［Ｂａ、Ｓｒ、Ｃａ、Ｍｇ］２［Ｂ、Ａｌ、Ｇａ、Ｉｎ、Ｓｃ］２Ｏ５：Ｕ６＋、
（Ｅ１０）Ａ［Ｂａ、Ｓｒ、Ｃａ、Ｍｇ］２［Ｂ、Ａｌ、Ｇａ、Ｉｎ］５Ｏ１０：Ｕ６＋、および
（Ｅ１１）Ａ［Ｂａ、Ｓｒ、Ｃａ、Ｍｇ］４［Ｂ、Ａｌ、Ｇａ、Ｉｎ］３Ｏ９：Ｕ６＋、
からなる群から選択され、
ＡはＬｉ、Ｎａ、Ｋ、Ｒｂ、Ｃｓ、またはそれらの組合せであり、
ＸはＦ、Ｃｌ、Ｂｒまたはそれらの組合せである、デバイス。
【請求項２】
［Ｂａ、Ｓｒ、Ｃａ、Ｍｇ］４［Ｂ、Ａｌ、Ｇａ、Ｉｎ］［Ｐ、Ｖ］Ｏ８：Ｕ６＋および［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋から選択される、緑色発光Ｕ６＋ドープ蛍光体。
【請求項３】
Ｕ６＋ドープリン酸バナジン酸塩蛍光体、Ｕ６＋ドープハロゲン化物蛍光体、Ｕ６＋ドープオキシハライド化物蛍光体、Ｕ６＋ドープケイ酸塩ゲルマネート蛍光体、Ｕ６＋ドープアルカリ土類酸化物蛍光体、およびそれらの組合せからなる群から選択される緑色発光Ｕ６＋ドープ蛍光体に光学的に結合されたＬＥＤ光源を備え、
前記Ｕ６＋ドープリン酸バナジン酸塩蛍光体はＢａ２Ｐ２Ｏ７：Ｕ６＋およびＢａ３Ｐ２Ｏ８：Ｕ６＋を含まず、前記Ｕ６＋ドープオキシハライド蛍光体はＢａ５Ｐ３Ｏ１２Ｆ：Ｕ６＋を含まない、デバイス。
【請求項４】
（Ｙ、Ｇｄ、Ｔｂ、Ｌａ、Ｓｍ、Ｐｒ、Ｌｕ）３（Ａｌ、Ｇａ）５−ａＯ１２−３／２ａ：Ｃｅ３＋（ここで０≦ａ≦０．５）、β−ＳｉＡｌＯＮ：Ｅｕ２＋、（Ｓｒ、Ｃａ、Ｂａ）（Ａｌ、Ｇａ、Ｉｎ）２Ｓ４：Ｅｕ２＋、Ｅｕ２＋および／またはＣｅ３＋ドープα−ＳｉＡｌＯＮ、Ｃａ１−ｈ−ｒＣｅｈＥｕｒＡｌ１−ｈ（Ｍｇ、Ｚｎ）ｈＳｉＮ３、（ここで０≦ｈ≦０．２、０≦ｒ≦０．２）、Ｓｒ（ＬｉＡｌ３Ｎ４）：Ｅｕ２＋、（Ｃａ、Ｓｒ）Ｓ：Ｅｕ２＋、Ｃｅ３＋、（Ｂａ、Ｓｒ、Ｃａ）ｂＳｉｇＮｍ：Ｅｕ２＋（ここで２ｂ＋４ｇ＝３ｍ）、量子ドット材料およびそれらの組合せから選択される蛍光体をさらに備える、
請求項１または３のいずれか一項に記載のデバイス。
【請求項５】
式Ｉ：
ＡｘＭＦｙ：Ｍｎ４＋
Ｉ
の蛍光体をさらに含み、
ＡはＬｉ、Ｎａ、Ｋ、Ｒｂ、Ｃｓ、またはそれらの組合せであり、
Ｍは、Ｓｉ、Ｇｅ、Ｓｎ、Ｔｉ、Ｚｒ、Ａｌ、Ｇａ、Ｉｎ、Ｓｃ、Ｈｆ、Ｙ、Ｌａ、Ｎｂ、Ｔａ、Ｂｉ、Ｇｄ、またはそれらの組合せであり、
ｘはＭＦｙイオンの電荷の絶対値であり、
ｙは５、６、または７である、
請求項１、３、４のいずれか一項に記載のデバイス。
【請求項６】
ＡはＫでありＭはＳｉであるか、または、
ＡはＮａでありＭはＳｉである、
請求項５に記載のデバイス。
【請求項７】
前記蛍光体がペロブスカイト量子ドットを備える量子ドット材料を備えている、
請求項４に記載のデバイス。
【請求項８】
（Ｙ、Ｇｄ、Ｔｂ、Ｌａ、Ｓｍ、Ｐｒ、Ｌｕ）３（Ａｌ、Ｇａ）５−ａＯ１２−３／２ａ：Ｃｅ３＋（ここで０≦ａ≦０．５）、β−ＳｉＡｌＯＮ：Ｅｕ２＋、（Ｓｒ、Ｃａ、Ｂａ）（Ａｌ、Ｇａ、Ｉｎ）２Ｓ４：Ｅｕ２＋、Ｅｕ２＋および／またはＣｅ３＋ドープα−ＳｉＡｌＯＮ、Ｃａ１−ｈ−ｒＣｅｈＥｕｒＡｌ１−ｈ（Ｍｇ、Ｚｎ）ｈＳｉＮ３、（ここで０≦ｈ≦０．２、０≦ｒ≦０．２）、Ｓｒ（ＬｉＡｌ３Ｎ４）：Ｅｕ２＋、（Ｃａ、Ｓｒ）Ｓ：Ｅｕ２＋、Ｃｅ３＋、（Ｂａ、Ｓｒ、Ｃａ）ｂＳｉｇＮｍ：Ｅｕ２＋（ここで２ｂ＋４ｇ＝３ｍ）、量子ドット材料およびそれらの組合せから選択される蛍光体、および、
Ｕ６＋ドープリン酸バナジン酸塩蛍光体、Ｕ６＋ドープハロゲン化物蛍光体、Ｕ６＋ドープオキシハライド化物蛍光体、Ｕ６＋ドープケイ酸塩ゲルマネート蛍光体、Ｕ６＋ドープアルカリ土類酸化物蛍光体、およびそれらの組合せからなる群から選択される緑色発光Ｕ６＋ドープ蛍光体と、を備え、
前記Ｕ６＋ドープリン酸バナジン酸塩蛍光体は、
（Ａ１）［Ｂａ、Ｓｒ、Ｃａ、Ｍｇ］［Ｂ、Ａｌ、Ｇａ、Ｉｎ］［Ｐ、Ｖ］Ｏ５：Ｕ６＋、
（Ａ２）Ｂａ２−ｘ［Ｓｒ、Ｃａ、Ｍｇ］ｘ［Ｐ１−ｙ、Ｖｙ］２Ｏ７：Ｕ６＋、ここで、０≦ｘ≦２、０≦ｙ≦１、およびｙ＝０のときｘ≠０、
（Ａ３）［Ｂａ、Ｓｒ、Ｃａ、Ｍｇ］４［Ｐ、Ｖ］２Ｏ９：Ｕ６＋、
（Ａ４）［Ｂａ、Ｓｒ、Ｃａ、Ｍｇ］３［Ｐ、Ｖ］４Ｏ１３：Ｕ６＋、
（Ａ５）［Ｂａ、Ｓｒ、Ｃａ、Ｍｇ］４［Ｂ、Ａｌ、Ｇａ、Ｉｎ］［Ｐ、Ｖ］Ｏ８：Ｕ６＋、
（Ａ６）［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋、
（Ａ７）Ｂａ３−ｘ［Ｓｒ、Ｃａ、Ｍｇ］ｘ［Ｐ１−ｙ、Ｖｙ］２Ｏ８：Ｕ６＋、ここで、０≦ｘ≦３、０≦ｙ≦１、およびｙ＝０のときｘ≠０、
（Ａ８）Ａ２［Ｂａ、Ｓｒ、Ｃａ、Ｍｇ］［Ｐ、Ｖ］２Ｏ７：Ｕ６＋、
（Ａ９）Ａ［Ｂａ、Ｓｒ、Ｃａ、Ｍｇ］［Ｐ、Ｖ］Ｏ４：Ｕ６＋、
（Ａ１０）［Ｂａ、Ｓｒ、Ｃａ、Ｍｇ］［Ｐ、Ｖ］２Ｏ６：Ｕ６＋、
（Ａ１１）［Ｂａ、Ｓｒ、Ｃａ、Ｍｇ］３［Ｂ、Ａｌ、Ｇａ、Ｉｎ］［Ｐ、Ｖ］Ｏ７：Ｕ６＋、および
（Ａ１２）［Ｂａ、Ｓｒ、Ｃａ、Ｍｇ］１０［Ｐ、Ｖ］６Ｏ２５：Ｕ６＋、
からなる群から選択され、
前記Ｕ６＋ドープハロゲン化物蛍光体は、
（Ｂ１）［Ｂａ、Ｓｒ、Ｃａ、Ｍｇ］Ｘ２：Ｕ６＋、
（Ｂ２）Ａ［Ｂａ、Ｓｒ、Ｃａ、Ｍｇ］Ｘ３：Ｕ６＋、および
（Ｂ３）［Ｂａ、Ｓｒ、Ｃａ、Ｍｇ］２Ｘ４：Ｕ６＋、
からなる群から選択され、
前記Ｕ６＋ドープオキシハライド蛍光体は、
（Ｃ１）［Ｂａ、Ｓｒ、Ｃａ、Ｍｇ］２［Ｂ、Ａｌ、Ｇａ、Ｉｎ］Ｏ３Ｘ：Ｕ６＋、
（Ｃ２）［Ｂａ、Ｓｒ、Ｃａ、Ｍｇ］２［Ｐ、Ｖ］Ｏ４Ｘ：Ｕ６＋、
（Ｃ３）Ｂａ５−ｎ［Ｓｒ、Ｃａ、Ｍｇ］ｎ［Ｐ１−ｍ、Ｖｍ］３Ｏ１２Ｘ：Ｕ６＋、ここで、０≦ｎ≦５、０≦ｍ≦１、ならびにｍ＝０およびＸ＝Ｆのときｎ≠０、
（Ｃ４）［Ｂａ、Ｓｒ、Ｃａ、Ｍｇ］５［Ｂ、Ａｌ、Ｇａ、Ｉｎ］３Ｏ９Ｘ：Ｕ６＋、および
（Ｃ５）［Ｂａ、Ｓｒ、Ｃａ、Ｍｇ］３［Ｓｉ、Ｇｅ］Ｏ４Ｘ：Ｕ６＋、
からなる群から選択され、
前記Ｕ６＋ドープケイ酸塩ゲルマネート蛍光体は、
（Ｄ１）［Ｂａ、Ｓｒ、Ｃａ、Ｍｇ］２［Ｓｉ、Ｇｅ］Ｏ４：Ｕ６＋、
（Ｄ２）［Ｂａ、Ｓｒ、Ｃａ、Ｍｇ］３［Ｓｉ、Ｇｅ］Ｏ５：Ｕ６＋、
（Ｄ３）［Ｂａ、Ｓｒ、Ｃａ、Ｍｇ］３［Ｓｉ、Ｇｅ］２Ｏ７：Ｕ６＋、
（Ｄ４）［Ｂａ、Ｓｒ、Ｃａ、Ｍｇ］［Ｓｉ、Ｇｅ］Ｏ３：Ｕ６＋、
（Ｄ５）［Ｂａ、Ｓｒ、Ｃａ、Ｍｇ］［Ｂ、Ａｌ、Ｇａ、Ｉｎ］２［Ｓｉ、Ｇｅ］２Ｏ８：Ｕ６＋、
（Ｄ６）［Ｂａ、Ｓｒ、Ｃａ、Ｍｇ］２［Ｂ、Ａｌ、Ｇａ、Ｉｎ］２［Ｓｉ、Ｇｅ］Ｏ７：Ｕ６＋、
（Ｄ７）［Ｂａ、Ｓｒ、Ｃａ、Ｍｇ］３［Ｂ、Ａｌ、Ｇａ、Ｉｎ］６［Ｓｉ、Ｇｅ］２Ｏ１６：Ｕ６＋、
（Ｄ８）［Ｂａ、Ｓｒ、Ｃａ、Ｍｇ］３［Ｂ、Ａｌ、Ｇａ、Ｉｎ］２［Ｓｉ、Ｇｅ］Ｏ８：Ｕ６＋、
（Ｄ９）［Ｂａ、Ｓｒ、Ｃａ、Ｍｇ］１１［Ｂ、Ａｌ、Ｇａ、Ｉｎ］２［Ｓｉ、Ｇｅ］４Ｏ２２：Ｕ６＋、
（Ｄ１０）［Ｂａ、Ｓｒ、Ｃａ、Ｍｇ］３［Ｂ、Ａｌ、Ｇａ、Ｉｎ］１０［Ｓｉ、Ｇｅ］Ｏ２０：Ｕ６＋、および
（Ｄ１１）［Ｂａ、Ｓｒ、Ｃａ、Ｍｇ］６．５［Ｂ、Ａｌ、Ｇａ、Ｉｎ］１１［Ｓｉ、Ｇｅ］５Ｏ３３：Ｕ６＋、
からなる群から選択され、
前記Ｕ６＋ドープアルカリ土類酸化物蛍光体は、
（Ｅ１）［Ｂａ、Ｓｒ、Ｃａ、Ｍｇ］［Ｂ、Ａｌ、Ｇａ、Ｉｎ］４Ｏ７：Ｕ６＋、
（Ｅ２）［Ｂａ、Ｓｒ、Ｃａ、Ｍｇ］３［Ｂ、Ａｌ、Ｇａ、Ｉｎ］２Ｏ６：Ｕ６＋、
（Ｅ３）［Ｂａ、Ｓｒ、Ｃａ、Ｍｇ］［Ｂ、Ａｌ、Ｇａ、Ｉｎ］６Ｏ１０：Ｕ６＋、
（Ｅ４）［Ｂａ、Ｓｒ、Ｃａ、Ｍｇ］［Ｂ、Ａｌ、Ｇａ、Ｉｎ］２Ｏ４：Ｕ６＋、
（Ｅ５）［Ｂａ、Ｓｒ、Ｃａ、Ｍｇ］４［Ｂ、Ａｌ、Ｇａ、Ｉｎ］２Ｏ７：Ｕ６＋、
（Ｅ６）［Ｂａ、Ｓｒ、Ｃａ、Ｍｇ］１２［Ｂ、Ａｌ、Ｇａ、Ｉｎ］１４Ｏ３３：Ｕ６＋、
（Ｅ７）Ａ［Ｂａ、Ｓｒ、Ｃａ、Ｍｇ］［Ｂ、Ａｌ、Ｇａ、Ｉｎ］Ｏ３：Ｕ６＋、
（Ｅ８）［Ｂａ、Ｓｒ、Ｃａ、Ｍｇ］Ｏ：Ｕ６＋、
（Ｅ９）［Ｂａ、Ｓｒ、Ｃａ、Ｍｇ］２［Ｂ、Ａｌ、Ｇａ、Ｉｎ、Ｓｃ］２Ｏ５：Ｕ６＋、
（Ｅ１０）Ａ［Ｂａ、Ｓｒ、Ｃａ、Ｍｇ］２［Ｂ、Ａｌ、Ｇａ、Ｉｎ］５Ｏ１０：Ｕ６＋、および
（Ｅ１１）Ａ［Ｂａ、Ｓｒ、Ｃａ、Ｍｇ］４［Ｂ、Ａｌ、Ｇａ、Ｉｎ］３Ｏ９：Ｕ６＋、
からなる群から選択され、
ＡはＬｉ、Ｎａ、Ｋ、Ｒｂ、Ｃｓ、またはそれらの組合せであり、
ＸはＦ、Ｃｌ、Ｂｒまたはそれらの組合せである、蛍光体ブレンド。
【請求項９】
前記緑色発光Ｕ６＋ドープ蛍光体は、
［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋、
である、請求項８に記載の蛍光体ブレンド。
【請求項１０】
請求項１、３〜９のいずれか一項に記載の前記デバイスを含む照明装置。
【請求項１１】
請求項１、３〜９のいずれか一項に記載の前記デバイスを含むバックライト装置。
【請求項１２】
前記緑色発光Ｕ６＋ドープ蛍光体は、
［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋、
である、請求項１１に記載のバックライト装置。
【請求項１３】
請求項１１または１２のいずれか一項に記載の前記バックライト装置を備えるテレビ。
【請求項１４】
請求項１１または１２のいずれか一項に記載の前記バックライト装置を備える携帯電話。
【請求項１５】
請求項１１または１２のいずれか一項に記載の前記バックライト装置を含むコンピュータモニタ。
【請求項１６】
請求項１１または１２のいずれか一項に記載の前記バックライト装置を含むスマートフォン。
【請求項１７】
請求項１１または１２のいずれか一項に記載の前記バックライト装置を含むタブレットコンピュータ。